(57)【要約】【課題】空き缶やプラスチック袋などの大きいゴミを簡単に分離、除去できる堅樋の掃除点検装置を提供する。【解決手段】正面と上下に開口部１１ａ，１１ｂ，１１ｃを有する樋継手１１を介して、空き缶２０ａなどの大きいゴミが落下できる上側の太い堅樋材５ａと、下側の堅樋材５ｂを接続し、空き缶２０ａなどの大きいゴミを通さないゴミ除け部材１２を樋継手１１の内部に設置すると共に、樋継手１１の正面の開口部１１ａに蓋体１３を脱着可能又は開閉可能に取付けた構成の堅樋の掃除点検装置Ｄとする。雨水や小さなゴミはゴミ除け部材１２を通過し、通過できない空き缶２０ａなどの大きいゴミはゴミ除け部材１２の上に溜まるので、蓋体１３を開けて大きいゴミを簡単に取り出して廃棄できる。【選択図】図４
2005207088.tif 000002
【特許請求の範囲】
【請求項１】
正面と上下に開口部を有する樋継手を介して、空き缶などの大きいゴミが落下できる上側の太い堅樋材と、下側の堅樋材を接続し、空き缶などの大きいゴミを通さないゴミ除け部材を樋継手の内部に設置すると共に、樋継手の正面の開口部に蓋体を脱着可能又は開閉可能に取付けたことを特徴とする、堅樋の掃除点検装置。
【請求項２】
ゴミ除け部材の上端を、樋継手の正面側から後方に向かって高くなるように傾斜させたことを特徴とする、請求項１に記載の堅樋の掃除点検装置。
【請求項３】
ゴミ除け部材に、樋継手の側壁との間に通水間隙を確保する板体を立設したことを特徴とする、請求項１又は請求項２に記載の堅樋の掃除点検装置。
【請求項４】
樋継手の正面の開口部の周壁又は樋継手の側壁に、少量の雨水を外部にオーバーフローさせる警告孔を、正面の開口部の中心線よりも少し低くなるように位置させて設けたことを特徴とする、請求項１ないし請求項３のいずれかに記載の堅樋の掃除点検装置。
【請求項５】
蓋体が透明もしくは半透明であることを特徴とする、請求項１ないし請求項４のいずれかに記載の堅樋の掃除点検装置。
【請求項６】
板体と樋継手の側壁との間隔を空き缶の半径よりも若干小さくしたことを特徴とする、請求項３に記載の堅樋の掃除点検装置。
【発明の詳細な説明】
【技術分野】
【０００１】
本発明は、空き缶などの大きいゴミを分離、除去できる堅樋の掃除点検装置に関する。
【背景技術】
【０００２】
従来より、駅のプラットホーム等においては、Ｖ形に突き合わされた屋根の谷部に沿って谷樋を設け、この谷樋から堅樋へ通じる落し口に、枯葉などのゴミを通さないドーム形のゴミ除け部材を取付けて、ゴミが雨水と共に堅樋に流れ込まないようにしている。
【０００３】
しかしながら、枯葉だけでなく、食品等を取り出した後に廃棄されたプチスチック袋などが風に舞って屋根に飛来したり、酒に酔った心なき者がジュースなどの空き缶を屋根に放り投げたりするため、これらの飛来物や空き缶によって落し口が詰まりやすく、このように落し口が詰まったり落水量が大幅に減少したりすると、屋根から谷樋に流れ込んだ雨水が谷樋から溢れてプラットホームに落下し、乗降客に多大な迷惑をかけるという問題が発生することになる。そのため、かなり頻繁に谷樋の落し口やその付近を掃除して空き缶、プラスチック包装袋、枯葉その他のゴミを除去しなければならず、この清掃作業がきわめて面倒という問題があった。
【０００４】
このような問題があるにも拘わらず、現在のところ、空き缶や廃棄されたプラスチック袋などの大きいゴミを簡単に分離、除去できる装置を堅樋に設けた先行技術は見当たらず、この種の装置は未開発のようである。
【発明の開示】
【発明が解決しようとする課題】
【０００５】
本発明は上記の事情に鑑みなされたもので、空き缶やプラスチック袋などの大きいゴミを簡単に分離、除去できる堅樋の掃除点検装置を提供することを解決課題としている。
【課題を解決するための手段】
【０００６】
上記の課題を解決するため、本発明に係る堅樋の掃除点検装置は、正面と上下に開口部を有する樋継手を介して、空き缶などの大きいゴミが落下できる上側の太い堅樋材と、下側の堅樋材を接続し、空き缶などの大きいゴミを通さないゴミ除け部材を樋継手の内部に設置すると共に、樋継手の正面の開口部に蓋体を脱着可能又は開閉可能に取付けたことを特徴とするものである。
【０００７】
本発明の堅樋の掃除点検装置においては、ゴミ除け部材の上端を、樋継手の正面側から後方に向かって高くなるように傾斜させることが望ましく、また、ゴミ除け部材に、樋継手の側壁との間に通水間隙を確保する板体を立設することが望ましい。そして、板体と樋継手の側壁との間隔を空き缶の半径よりも若干小さくすることが望ましい。更に、本発明の掃除点検装置においては、樋継手の正面の開口部の周壁又は樋継手の側壁に、少量の雨水を外部にオーバーフローさせる警告孔を、正面の開口部の中心線よりも少し低くなるように位置させて設けることが望ましく、また、蓋体を透明もしくは半透明にしてもよい。
【発明の効果】
【０００８】
本発明の堅樋の掃除点検装置によれば、雨水と共に枯葉などの小さいゴミや空き缶などの大きいゴミが谷樋の落し口から上側の太い堅樋材を通って樋継手に落下するため、従来のように谷樋の落し口が詰まって雨水が谷樋から溢れ出す心配がなくなる。そして、落下した雨水や枯葉などの小さなゴミは、樋継手の内部に設置されたゴミ除け部材を通って下側の堅樋材から排出され、ゴミ除け部材を通過できない空き缶などの大きいゴミは分離されてゴミ除け部材の上に溜まることになる。従って、樋継手の正面の開口部に取り付けた蓋を外すか開けるかすれば、空き缶などの大きいゴミを正面の開口部から簡単に取り出して廃棄することができる。
【０００９】
また、本発明の堅樋の掃除点検装置において、ゴミ除け部材の上端を、樋継手の正面側から後方に向かって高くなるように傾斜させたものは、落下してくる空き缶などの大きいゴミがゴミ除け部材の傾斜した上端に当たって樋継手の正面の開口部の方へ送られ、正面の開口部の方から溜まっていく。従って、大きいゴミは、正面の開口部にある程度溜まるまでゴミ除け部材の上には余り溜まることがなく、大きいゴミが雨水や小さいゴミの通過を実質的に妨げることはないので、排水性の低下を生じる恐れは殆どない。
【００１０】
また、本発明の堅樋の掃除点検装置において、ゴミ除け部材に、樋継手の側壁との間に通水間隙を確保する板体を立設したものは、プラスチック袋などの大きいゴミがゴミ除け部材を覆うように付着して樋継手の内部に溜まった場合でも、板体と樋継手の側壁との間に確保された通水間隙を通って雨水や小さいゴミが排出されるので、堅樋の詰まりを生じる心配がない。そして、板体と樋継手の側壁との間隔を空き缶の半径よりも若干小さくしたものは、空き缶が板体の上に載って通水間隙の上端を閉塞する心配もないので、堅樋の詰まりをより確実になくすことができる。
【００１１】
更に、本発明の掃除点検装置において、樋継手の正面の開口部の周壁又は樋継手の側壁に、少量の雨水を外部にオーバーフローさせる警告孔を、正面の開口部の中心線よりも少し低くなるように位置させて設けたものは、ゴミ除け部材の上に大きいゴミが多量に溜まることによって排水性が悪くなり、樋継手の内部に溜まりだした雨水の水位が警告孔の高さを上回るようになると、この警告孔から少量の雨水が外部にオーバーフローすることになる。従って、この警告孔からの雨水のオーバーフローがあると、大きいゴミが樋継手内に多量に溜まっていることが分かるので、直ちに蓋をあけて正面の開口部から大きいゴミを取出して掃除することができる。
【００１２】
また、本発明の掃除点検装置において、蓋体を透明もしくは半透明としたものは、蓋体を通して樋継手の内部を透視するだけで、空き缶などの大きいゴミの溜まり具合や雨水の水位を極く簡単に知ることができる利点がある。
【発明を実施するための最良の形態】
【００１３】
以下、図面を参照して本発明の代表的な実施例を詳述するが、本発明はこの実施例に限定されないことは言うまでもない。
【実施例１】
【００１４】
図１はプラットホームの堅樋に設けた本発明の一実施例の掃除点検装置を示す概略図、図２は同装置の正面図、図３は同装置の側面図、図４は図２のＡ−Ａ線に沿った断面図、図５は同装置に組み込まれる板体を立設したゴミ除け部材の斜視図、図６（ａ）は同ゴミ除け部材の平面図、図６（ｂ）は同ゴミ除け部材の正面図、図７は警告孔を構成する孔開きボルトとパイプの斜視図、図８は警告孔の断面図である。
【００１５】
本発明の軒樋の掃除点検装置Ｄは、図１に例示のごとく、駅のプラットホームの堅樋などに設けられるものである。即ち、図１において、１は駅のプラットホーム、２はプラットホームの中央に立設された柱、また、３，３はＶ形に突き合わされた屋根であり、この屋根３，３は柱２で支持されている。４はＶ形に突き合わされた屋根３，３の谷部に沿って設けられた谷樋であり、この谷樋４の底面の落し口には堅樋５が接続されている。この堅樋５は、上側の太い堅樋材５ａと下側の堅樋材５ｂからなるもので、これらの堅樋材５ａ，５ｂの間に本発明の掃除点検装置Ｄが設けられている。
【００１６】
この掃除点検装置Ｄは、図２，図３，図４に示すように、正面と上下に開口部１１ａ，１１ｂ，１１ｃを備えた所謂「チーズ継手」と言われる樋継手１１が用いられ、この樋継手１１の上端の開口部１１ｂに上側の太い堅樋材５ａが差込み接続されると共に、下端の開口部１１ｃに異径継手５ｃを介して下側の堅樋材５ｂが差込み接続されることにより、上下の堅樋材５ａ，５ｂの間に樋継手１１が取付けられている。そして、この樋継手１１の内部にゴミ除け部材１２が設置されると共に、樋継手１１の正面の開口部１１ａに蓋体１３が脱着可能に嵌着されている。
【００１７】
堅樋を構成する上側の堅樋材５ａは、ジュースなどの空き缶や、食品等の包装に使用されていた廃棄プラスチック袋などの大きいゴミが引掛かることなく落下できる太い堅樋材であり、具体的には１５０〜２００ｍｍ程度の管径を有する合成樹脂管が好ましく使用される。これに対し、下側の堅樋材５ｂは雨水や枯葉などの小さいゴミが落下できるものであればよいから、１００ｍｍ程度の合成樹脂管が好ましく使用される。
【００１８】
樋継手１１の内部に設置されるゴミ除け部材１２は、図４，図５，図６に示すように、環状枠１２ａと、この環状枠１２ａの内側から上方に突き出して一体に形成された前後方向及び左右方向の区画板１２ｂ，１２ｂ，１２ｃとからなるもので、環状枠１２ａの外径は樋継手１１の内径よりも僅かに小さく設定されており、３枚の区画板１２ｂ，１２ｂ，１２ｃで区画された通水部１２ｄは、空き缶や廃棄プラスチック袋などの大きいゴミを通さないけれども、枯葉などの小さいゴミを通す開口面積（具体的には２０〜４０ｃｍ２程度の開口面積）を有している。そして、前後方向の２枚の区画板１２ｂ，１２ｂはいずれも直角三角形の板に形成されており、左右方向の区画板１２ｃは、区画板１２ｂの最大高さの１／２の高さを有する長方形の板に形成されている。
【００１９】
このゴミ除け部材１２は、図４に示すように、異径継手５ｃの上端に取付けられた環状座板１４の上に環状枠１２ａを載置することによって樋継手１１の内部に設置され、ゴミ除け部材１２の上端、つまり前後方向の区画板１２ｂの上辺が樋継手１１の正面側から後方に向かって高くなるように傾斜している。従って、落下してきた空き缶２０ａなどの大きいゴミは、区画板１２ｂの傾斜した上辺に当たって樋継手１１の正面の開口部１２ａの方へ送られるようになっている。
【００２０】
このゴミ除け部材１２には、樋継手１１の側壁１１ｄとの間に通水間隙１６を確保する板体１５が立設されている。この板体１５はコ字形の断面を有する強度の大きい金属製の屈曲板であって、図５、図６（ｂ）に示すように、多数の透水孔１５ａが形成されており、ゴミ除け部材１２の後部の区画板１２ｂ，１２ｂの間から立設されている。このため、図６（ａ）に示すように、廃棄プラスチック袋２０ｂなどの大きいゴミがゴミ除け部材１２を覆うように付着して樋継手１１の内部に溜まっても、板体１５と樋継手１１の側壁１１ｄとの間に確保された通水間隙１６を通って雨水や小さいゴミが排出されるので、堅樋が詰まる心配はない。
【００２１】
上記の板体１５と樋継手の側壁１１ｄとの間隔は、空き缶２０ａの半径よりも若干小さくすることが望ましく、このようにすると、空き缶２０ａが板体１５の上に載って通水間隙１６の上端を閉塞する心配がないので、堅樋の詰まりをより確実になくすことができる。
【００２２】
図４に示すように、樋継手１１の正面の開口部１１ａには口径調節用の内筒１１ｅと蓋受け枠１１ｆが嵌着されており、この蓋受け枠１１ｆに蓋体１３が脱着自在に嵌合されて取付けられている。この蓋体１３は合成樹脂やレジンコンクリートなどで成形されたものであって、樋継手１１の内部に雨水が溜まっても外部に漏れないように、防水パッキンを介して蓋受け枠１１ｆに水密的に嵌着されている。そして、蓋体１３を取り外したときに落下することがないように、該蓋体１３を鎖１７で蓋受け枠１１ｆに連結している。なお、この蓋体１３は、ヒンジ等を用いて開閉自在に取付けても勿論よい。
【００２３】
上記の蓋体１３は不透明でもよいが、透明もしくは半透明にしてもよい。このように蓋体１３を透明もしくは半透明にすると、蓋体１３を通して樋継手１１の内部を透視するだけで、空き缶２０ａなどの大きいゴミの溜まり具合や雨水の水位を極く簡単に知ることができるので便利である。但し、蓋体１３があまりにもクリアーな透明蓋であると、樋継手１１の内部のゴミが明瞭に見えて不快感を受ける恐れがあるので、半透明の蓋体１３とするのが最適である。
【００２４】
更に、この掃除点検装置Ｄにおいては、図２、図３に示すように、樋継手１１の正面の開口部１１ａの周壁に、少量の雨水を外部にオーバーフローさせる警告孔１８が、正面の開口部１１ａの中心線よりも少し低い位置に設けられている。この警告孔１８は、図７，図８に示すように、内部に通水路１８ａを形成した通水ボルト１８ｂと、該通水ボルト１８ｂの頭部１８ｃの側面に形成されたネジ孔１８ｄにねじ込まれるパイプ１８ｅからなるもので、通水ボルト１８ｂを開口部１１ａの周壁にねじ込むことによって取付けられている。その場合、この警告孔１８からオーバーフローする雨水が樋継手１１の側壁を伝って流れ落ちるように、パイプ１８ｅの先端を樋継手１１の側壁に近接させることが好ましい。
【００２５】
上記の警告孔１８を取付けると、ゴミ除け部材１２の上に大きいゴミが多量に溜まることによって排水性が悪くなり、樋継手１１の内部に溜まりだした雨水の水位が警告孔１８の高さを上回ると、この警告孔１８から少量の雨水が外部にオーバーフローすることになるので、このオーバーフローの有無によって樋継手１１内部のゴミの溜まり具合を知ることができる。尚、この警告孔１８は、樋継手１１の側壁に設けてもよい。
【００２６】
以上のような構成の堅樋の掃除点検装置Ｄを設けると、雨水と共に枯葉などの小さいゴミや空き缶２０ａなどの大きいゴミが谷樋４の落し口から上側の太い堅樋材５ａを通って樋継手１１に落下するため、従来のように谷樋４の落し口が詰まって雨水が谷樋４から溢れ出す心配がなくなる。そして、落下した雨水や枯葉などの小さなゴミは、樋継手１１の内部に設置されたゴミ除け部材１２の通水部１２ｄを通って下側の堅樋材５ｂから排出され、ゴミ除け部材１２の通水部１２ｄを通過できない空き缶２０ａなどの大きいゴミは分離されてゴミ除け部材１２の上に溜まることになる。その際、空き缶２０ａなどの大きいゴミは、ゴミ除け部材１２の区画板１２ｂ，１２ｂの傾斜した上端によって樋継手１１の正面の開口部１１ａの方へ送られ、ゴミ除け部材１２の上には最初から大きいゴミが溜まることがないので、排水性の低下を生じる恐れは殆どない。また、廃棄プラスチック袋２０ｂなどの大きいゴミがゴミ除け部材１２を覆うように付着して樋継手１１の内部に溜まっても、板体１５と樋継手１１の側壁１１ｄとの間に確保された通水間隙１６を通って雨水や小さいゴミが排出されるので、堅樋が詰まる心配もない。
【００２７】
そして、樋継手１１の内部のゴミの量が増えて排水性が徐々に低下し、樋継手１１の内部に溜まり出した雨水の水位が警告孔１８より高くなると、警告孔１８から少量の雨水がオーバーフローするので、このオーバーフローがあれば、樋継手１１の正面の開口部１１ａの蓋体１３を取り外して、空き缶２０ａや廃棄プラスチック袋２０ｂなどの大きいゴミを除去すればよい。従って、従来のように谷樋４に溜まった大きいゴミを除去する面倒な作業が全く不要になり、メンテナンス性が著しく向上する。
【００２８】
図９は本発明の掃除点検装置に組み込まれるゴミ除け部材のもう一つの例を示す斜視図、図１０（ａ）は同ゴミ除け部材の平面図、図１０（ｂ）は同ゴミ除け部材の分解正面図である。
【００２９】
このゴミ除け部材１２は、環状基板１２ｅと、前後方向及び左右方向の区画板１２ｂ，１２ｂ，１２ｃとからなるもので、これらの区画板１２ｂ，１２ｂ，１２ｃは一体成形されている。前後方向の区画板１２ｂ，１２ｂは、前述した区画板と同様、直角三角形の板に形成されており、左右方向の区画板１２ｃは区画板１２ｂの最大高さの１／２より少し低い高さを有する長方形の板に形成されて、図１０（ａ）に示すように環状基板１２ｅの中心Ｏより前方（図では下方）に偏位して形成されている。
【００３０】
一体成形された上記の区画板１２ｂ，１２ｂ，１２ｃは、環状基板１２ｅの前後左右に形成された４つの位置決め突起１２ｇ，１２ｇ，１２ｆ，１２ｆにより前後左右に位置ずれしないように位置決めされて環状基板１２ｅの上に分離自在に取付けられている。即ち、前後の位置決め突起１２ｇ，１２ｇは、図１０（ａ）に示すように、区画板１２ｂ，１２ｂの前後両端のそれぞれの下部間に挟まれて、一体成形された区画板１２ｂ，１２ｂ，１２ｃが左右方向に移動しないように位置決めする働きをする一方、左右の位置決め突起１２ｆ，１２ｆは、その嵌合凹部に区画板１２ｃの左右両端の下部を嵌込むことによって、一体成形された区画板１２ｂ，１２ｂ，１２ｃが左右方向にも前後方向にも位置ずれしないように位置決めする働きをしており、これらの働きによって、一体成形された区画板１２ｂ，１２ｂ，１２ｃが位置決めされて環状基板１２ｅの上に取付けれらている。
【００３１】
そして、左右方向の区画板１２ｃを上記のように環状基板１２ｅの中心Ｏより前方に偏位させて一体成形することにより、前後方向の直角三角形の区画板１２ｂ，１２ｂの上辺が後方に向かって高さを増す場合にのみ、区画板１２ｃの左右両端の下部が位置決め突起１２ｆ，１２ｆの嵌合凹部に嵌まり込んで環状基板１２ｅに取付けられるようになっており、間違って区画板１２ｂ，１２ｂの上辺が後方に向かって高さを減じるように区画板１２ｂ，１２ｂ，１２ｃを環状基板１２ｅに取付けようとしても、取付けることができないようになっている。
【００３２】
また、この一体成形されたは、樋継手１１の正面の開口部１１ａの蓋体１３を取り外すと、開口部１１ａから外部へ取り出すことができる寸法とされている。
【００３３】
その他の構成は、図５、図６に示すゴミ除け部材と同様であるので、図９、図１０において同一部材に同一符号を付し、重複した説明を省略する。
【００３４】
上記のようなゴミ除け部材１２は、異径継手５ｃの上端に取付けられた環状座板１４（図４を参照）の上に環状基板１２ｅを載置することによって樋継手１１の内部に設置され、前述したように空き缶２０ａや廃棄プラスチック袋２０ｂ等の大きいゴミを分離除去する。そして、ゴミ除け部材１２の清掃が必要となった場合には、正面の開口部１１ａの蓋体１３を取り外し、一体成形された区画板１２ｂ，１２ｂ，１２ｃを環状基板１２ｅから分離して外部へ取り出すことができる。従って、樋継手１１内の清掃が更に容易になり、メンテナンス性が一層向上する利点がある。
【図面の簡単な説明】
【００３５】
【図１】プラットホームの堅樋に設けた本発明の一実施例の掃除点検装置を示す概略図である。
【図２】同装置の正面図である。
【図３】同装置の側面図である。
【図４】図２のＡ−Ａ線に沿った断面図である。
【図５】同装置に組み込まれる板体を立設したゴミ除け部材の斜視図である。
【図６】（ａ）は同ゴミ除け部材の平面図、（ｂ）は同ゴミ除け部材の正面図である。
【図７】警告孔を構成する孔開きボルトとパイプの斜視図である。
【図８】警告孔の断面図である。
【図９】本発明の掃除点検装置に組み込まれるゴミ除け部材のもう一つの例を示す斜視図である。
【図１０】（ａ）は同ゴミ除け部材の平面図、（ｂ）は同ゴミ除け部材の分解正面図である。
【符号の説明】
【００３６】
５ａ  上側の堅樋材
５ｂ  下側の堅樋材
１１  樋継手
１１ａ  正面の開口部、
１１ｂ，１１ｃの上下の開口部
１１ｄ  側壁
１１ｆ  蓋受け枠
１２  ゴミ除け部材
１２ａ  環状枠
１２ｂ，１２ｃ  区画板
１２ｄ  通水部
１２ｅ  環状基板
１３  蓋体
１５  板体
１６  通水間隙
１８  警告孔
１８ｂ  通水ボルト
１８ｅ  パイプ
【図１】
2005207088.tif 000003
【図２】
2005207088.tif 000004
【図３】
2005207088.tif 000005
【図４】
2005207088.tif 000006
【図５】
2005207088.tif 000007
【図６】
2005207088.tif 000008
【図７】
2005207088.tif 000009
【図８】
2005207088.tif 000010
【図９】
2005207088.tif 000011
【図１０】
2005207088.tif 000012